(57)【特許請求の範囲】
【請求項１】
ＬＡＮケーブルコネクタが挿入されて接続されるＬＡＮコネクタにおいて、
上記ＬＡＮケーブルコネクタが挿入される大きさのハウジングの内部のうち、モデムケーブルコネクタが挿入された場合に該モデムケーブルコネクタが占めるモデムケーブルコネクタ占有空間の外側に、撓み可能部分を設けると共に、
該モデムケーブルコネクタ占有空間内に、ストッパ部を上記撓み可能部分と共に変位するように設けてなり、
上記撓み可能部分は、上記モデムケーブルコネクタが挿入された場合には押されないで撓まず、上記ＬＡＮケーブルコネクタが挿入された場合に押されて撓まされて上記ストッパ部をモデムケーブルコネクタ占有空間の外に退避させ、
上記ストッパ部は、前記モデムケーブルコネクタ占有空間内に突き出ており、前記ハウジングの天板部と平行である平板片であり、上記モデムケーブルコネクタが挿入された場合にこれを受け止める構成としたことを特徴とするＬＡＮコネクタ。
【請求項２】
請求項１記載のＬＡＮコネクタにおいて、
上記撓み可能部分及び上記ストッパ部は、一つの板ばね部材の異なる部位に形成してある構成であり、
且つ、上記撓み可能部分は、上記ハウジングの上記天板部のうち入り口側の近くに固定されて、該ハウジングの内部に突き出て、奥方に延びている板ばねの腕部であり、
上記ストッパ部を構成する上記平板片は、上記腕部の先端に、折り曲げずに形成してある構成としたことを特徴とするＬＡＮコネクタ。
【請求項３】
請求項２記載のＬＡＮコネクタにおいて、
上記ハウジングの上記天板部は、上記腕部及び上記平板片に対向する部分に、上記天板部に接近する方向に撓まされた上記腕部及び上記平板片を受け入れるように、凹んだ凹状部を有する、構成としたことを特徴とするＬＡＮコネクタ。
【請求項４】
ＬＡＮケーブルコネクタが挿入されて接続されるＬＡＮコネクタにおいて、
上記ＬＡＮケーブルコネクタが挿入される大きさのハウジングの内部のうち、モデムケーブルコネクタが挿入された場合に該モデムケーブルコネクタが占めるモデムケーブルコネクタ占有空間の外側に、撓み可能部分を設けると共に、
該モデムケーブルコネクタ占有空間内に、ストッパ部を上記撓み可能部分と共に変位するように設けてなり、
上記撓み可能部分は、上記モデムケーブルコネクタが挿入された場合には押されないで撓まず、上記ＬＡＮケーブルコネクタが挿入された場合に押されて撓まされて上記ストッパ部をモデムケーブルコネクタ占有空間の外に退避させ、
上記ストッパ部は、前記モデムケーブルコネクタ占有空間内に突き出ており、前記ハウジングの天板部と平行である平板片であり、上記モデムケーブルコネクタが挿入された場合にこれを受け止め、
且つ、上記ハウジングに、通常はＬＡＮコネクタが機能しない状態としておき、動作してＬＡＮコネクタを機能する状態とするスイッチを設けると共に、該スイッチの押し釦を、上記モデムケーブルコネクタ占有空間の外に退避される上記ストッパ部を構成する上記平板片によって押されるように設けた構成としたことを特徴とするＬＡＮコネクタ。
【請求項５】
内部に情報処理部を有する本体部を有する情報処理装置において、該本体部に、請求項１乃至４のうちいずれか一項記載のＬＡＮコネクタを備えた構成としたことを特徴とする情報処理装置。
【発明の詳細な説明】
【０００１】
【発明の属する技術分野】
本発明はパーソナルコンピュータ（以下、パソコンと略する）等の情報処理装置に組み込まれるＬＡＮ（Local Area Network）コネクタに関する。
【０００２】
【従来の技術】
図１（Ａ）は従来のＬＡＮコネクタ１０を示す。ＬＡＮコネクタ１０は、モジュラージャック型であり、箱型のハウジング１１の内部に例えばＰＩＮ＃１，２，３，６を有する構成である。ＰＩＮ＃１，２は夫々Ｔ１、Ｒ１であり対をなし、ＰＩＮ＃３，６は夫々Ｔ２、Ｒ２であり対をなす構成である。Ｔは送信、Ｒは受信を示す。また、ハウジング１１は、横がＡ１、縦がＢ１の開口１２を有し、且つ、ラッチ用切欠１３を有する。
【０００３】
ＬＡＮコネクタ１０は、端子を半田付けされてボード上に実装されて、パソコンに組み込まれている。ＬＡＮコネクタ１０には、図１（Ｂ）に示すモジュラージャック型のＬＡＮ用のケーブルコネクタ２０が挿入され、凸部２１がラッチ用切欠１３にラッチされて、接続される。
【０００４】
【発明が解決しようとする課題】
近年、パソコンの機能の向上に伴なって、パソコンの中には、モデムコネクタに加えて、ＬＡＮコネクタが設けてあるものが製品化されている。ＬＡＮコネクタ及びモデムコネクタは共にモジュラージャック型であり、ＬＡＮコネクタはモデムコネクタよりサイズが大きい関係にあり、図１（Ｃ）に示すモデム用のケーブルコネクタ３０をＬＡＮコネクタ１０に挿入して接続することが可能である関係にある。
【０００５】
特に、モデムコネクタとＬＡＮコネクタとが並んでいる構成である場合には、誤ってモデム用のケーブルコネクタをＬＡＮコネクタに接続することが発生し易い。
【０００６】
誤ってモデム用のケーブルコネクタをＬＡＮコネクタに接続した場合には、パソコンが不具合を起こしてしまう虞れがある。
【０００７】
そこで、本発明は、上記課題を解決したＬＡＮコネクタを提供することを目的とする。
【０００８】
【課題を解決するための手段】
請求項１の発明は、ＬＡＮケーブルコネクタが挿入されて接続されるＬＡＮコネクタにおいて、
上記ＬＡＮケーブルコネクタが挿入される大きさのハウジングの内部のうち、モデムケーブルコネクタが挿入された場合に該モデムケーブルコネクタが占めるモデムケーブルコネクタ占有空間の外側に、撓み可能部分を設けると共に、
該モデムケーブルコネクタ占有空間内に、ストッパ部を上記撓み可能部分と共に変位するように設けてなり、
上記撓み可能部分は、上記モデムケーブルコネクタが挿入された場合には押されないで撓まず、上記ＬＡＮケーブルコネクタが挿入された場合に押されて撓まされて上記ストッパ部をモデムケーブルコネクタ占有空間の外に退避させ、
上記ストッパ部は、前記モデムケーブルコネクタ占有空間内に突き出ており、前記ハウジングの天板部と平行である平板片であり、上記モデムケーブルコネクタが挿入された場合にこれを受け止める構成としたものである。
【０００９】
ストッパ部は、誤ってモデムケーブルコネクタをＬＡＮコネクタに接続しようとした場合に、モデムケーブルコネクタの挿入を途中で制限し、モデムケーブルコネクタがＬＡＮコネクタに接続されてしまうことが防止される。
【００１０】
撓み可能部分は、ＬＡＮケーブルコネクタが挿入された場合に押されて撓まされてストッパ部をモデムケーブルコネクタ占有空間の外に退避させ、ＬＡＮケーブルコネクタの接続を妨害しないようにする。
【００１１】
請求項２の発明は、請求項１記載のＬＡＮコネクタにおいて、
上記撓み可能部分及び上記ストッパ部とは、一つの板ばね部材の異なる部位に形成してある構成であり、
且つ、上記撓み可能部分は、上記ハウジングの上記天板部のうち入り口側の近くに固定されて、該ハウジングの内部に突き出て、奥方に延びている板ばねの腕部であり、
上記ストッパ部を構成する上記平板片は、上記腕部の先端に、折り曲げずに形成してある構成としたものである。
【００１２】
撓み可能部分及びストッパ部が一つの板ばね部材の異なる部位に形成してある構成は、構成を簡単とする。
【００１３】
撓み可能部分がハウジングの天板部のうち入り口側の近くに固定されてハウジングの内部に突き出て奥方に延びている板ばねの腕部よりなる構成は、ＬＡＮケーブルコネクタが挿入された場合に腕部を撓み易くし、且つ、挿入されたＬＡＮケーブルコネクタが腕部に引っかからないようにする。
【００１４】
ストッパ部が腕部の先端に折り曲げずに形成してある構成は、ストッパ部を腕部に対して直角に曲げて形成した構成に比べて、強い強度を有し、且つ、モデムケーブルコネクタ占有空間の外への退避をし易くする。
【００１５】
請求項３の発明は、請求項２記載のＬＡＮコネクタにおいて、
上記ハウジングの上記天板部は、上記腕部及び上記平板片に対向する部分に、上記天板部に接近する方向に撓まされた上記腕部及び上記平板片を受け入れるように、凹んだ凹状部を有する、構成としたものである。
【００１６】
モデムケーブルコネクタが接続されてもスイッチは動作せず、よって、不都合を起こさない。
【００１７】
請求項４の発明は、ＬＡＮケーブルコネクタが挿入されて接続されるＬＡＮコネクタにおいて、
上記ＬＡＮケーブルコネクタが挿入される大きさのハウジングの内部のうち、モデムケーブルコネクタが挿入された場合に該モデムケーブルコネクタが占めるモデムケーブルコネクタ占有空間の外側に、撓み可能部分を設けると共に、
該モデムケーブルコネクタ占有空間内に、ストッパ部を上記撓み可能部分と共に変位するように設けてなり、
上記撓み可能部分は、上記モデムケーブルコネクタが挿入された場合には押されないで撓まず、上記ＬＡＮケーブルコネクタが挿入された場合に押されて撓まされて上記ストッパ部をモデムケーブルコネクタ占有空間の外に退避させ、
上記ストッパ部は、前記モデムケーブルコネクタ占有空間内に突き出ており、前記ハウジングの天板部と平行である平板片であり、上記モデムケーブルコネクタが挿入された場合にこれを受け止め、
且つ、上記ハウジングに、通常はＬＡＮコネクタが機能しない状態としておき、動作してＬＡＮコネクタを機能する状態とするスイッチを設けると共に、該スイッチの押し釦を、上記モデムケーブルコネクタ占有空間の外に退避される上記ストッパ部を構成する上記平板片によって押されるように設けた構成としたものである。
【００１８】
スイッチと撓み可能部分及びストッパ部とを併せて有するため、スイッチが故障した場合でも、不都合が起きないようになる。
【００１９】
請求項５の発明は、内部に情報処理部を有する本体部を有する情報処理装置において、該本体部に、請求項１乃至４のうちいずれか一項記載のＬＡＮコネクタを備えた構成としたものである。
【００２０】
モデムケーブルコネクタを誤ってＬＡＮコネクタに接続してしまう誤操作が防止され、情報処理装置の信頼性を上げることが可能となる。このため、ＬＡＮコネクタとモデムコネクタとを離れた場所ではなく、並べて配置することも可能となる。
【００２１】
【発明の実施の形態】
図２は本発明の第１実施例になるＬＡＮコネクタ５０が組み込んである携帯型のパソコン４０を示す。携帯型のパソコン４０は、本体部４１と、本体部４１の奥方の軸支部４３によって本体部４１に対して開閉可能に支持されている液晶表示部４２とを有する。本体部４１は、内部に情報処理部としてのＣＰＵ等を有し、上面にキーボード部４４を有し、右側の側面４５に、型番がＲＪ−４５であるＬＡＮコネクタ５０と型番がＲＪ−１１であるモデムコネクタ７０とが並んでいる。
【００２２】
図３は図２の携帯型のパソコン４０のブロック図を示す。中央にチップセット８０が配され、このチップセット８０に対してＣＰＵ８１とメインメモリ８２とが接続してある。チップセット８０から、ＰＣＩ(Peripheral Component Interconnect)ＢＵＳ８３と、ＸＢＵＳ８４とが延びている。ＬＡＮコネクタ５０は、ＬＡＮモジュール８５を介してＰＣＩＢＵＳ８３に接続してある。モデムコネクタ７０は、モデムモジュール８６を介してＰＣＩＢＵＳ８３に接続してある。ＵＳＢコネクタ７１はチップセット８０に接続してある。液晶表示部４２は、グラフィックチップ８７を介してＰＣＩＢＵＳ８３に接続してある。キーボード部４４はブリッジチップ８８を介してＸＢＵＳ８４に接続してある。
【００２３】
図４（Ａ），（Ｃ），（Ｄ）は本発明の一実施例になるＬＡＮコネクタ５０を示す。ＬＡＮコネクタ５０は、図１（Ａ）に示すＬＡＮコネクタ１０に、モデムケーブルコネクタの挿入を防止するモデムケーブルコネクタ挿入防止機構５１を追加して有する構成である。Ｘ１−Ｘ２が幅方向、Ｙ１−Ｙ２が奥行き方向、Ｚ１−Ｚ２が高さ方向である。Ｙ１がＬＡＮケーブルコネクタの挿入方向である。ＬＡＮコネクタ５０は、モジュラージャック型であり、箱型のハウジング５２の内部に例えばＰＩＮ＃１，２，３，６を有する。ハウジング５２は、横がＡ１、縦がＢ１の開口５３を有し、且つ、ラッチ用切欠５４を有する。
【００２４】
モデムケーブルコネクタ挿入防止機構５１は、図４（Ｂ）に示す単一の板ばね部材６０よりなる。板ばね部材６０は、上方から見て略Ｕ字形状、横から見て略Ｖ字形状であり、Ｙ１側の横架部６１と、横架部６１の両端からＹ２方向に延びている左右の腕部６２，６３と、この腕部６２，６３の先端からＺ２方向に半径Ｒで湾曲している湾曲部６４，６５と、湾曲部６４，６５からＺ２とＹ１との間の方向に延びている撓み可能部分としての腕部６６，６７と、腕部６６，６７の先端のストッパ部６８，６９とを有する形状である。ストッパ部６８，６９は、Ｘ−Ｙ面の平板片であり、腕部６６，６７の先端を延長して、且つＺ１又はＺ２方向に直角に折り曲げないで形成してある。よって、ストッパ部６８，６９は、強度が強く、モデムケーブルコネクタ３０を強く挿入した場合にも曲がらない。
【００２５】
腕部６６の内側縁と腕部６７の内側縁との間のＸ１−Ｘ２方向の距離Ａ３は、図１（Ｃ）に示すモデム用のケーブルコネクタ３０の幅寸法Ａ２より僅かに長い寸法に定めてある。
【００２６】
ストッパ部６８，６９は、腕部６６，６７の先端より内側に突き出してＬ字形状に形成してある。ストッパ部６８の内側縁とストッパ部６９の内側縁との間のＸ１−Ｘ２方向の距離Ａ４は、図１（Ｃ）に示すモデム用のケーブルコネクタ３０の幅寸法Ａ２より少し短い寸法に定めてある。
【００２７】
板ばね部材６０は、図４（Ｃ）、（Ｄ）に示すように、ハウジング５２のＸ１−Ｘ２方向の中央に位置して、横架部６１と左右の腕部６２，６３をハウジング５２の天板部５５にインサート成形されてハウジング５２の天板部５５内に埋め込まれている。
【００２８】
腕部６６，６７は、図４（Ｄ）に示すように、天板部５５の下面のうち開口５３に近い位置から、ハウジング５２の内部に突き出して、Ｙ１方向（ケーブルコネクタの挿入方向）に延びている。腕部６６，６７のＹ１−Ｙ２線に対する傾斜角度αは、約２０度である。
【００２９】
天板部５５の下面のうち、腕部６６，６７及びストッパ部６８，６９に対向する部分は凹んで凹状部５６となっている。Ｚ１方向に撓まされた腕部６６，６７及びストッパ部６８，６９を受け入れるためである。
【００３０】
上記の腕部６６，６７は挿入されるＬＡＮケーブルコネクタ２０が通る空間５７内に位置している。ストッパ部６８，６９は挿入されるＬＡＮケーブルコネクタ２０が通る空間５７内であって且つモデムケーブルコネクタ３０が通る空間５８内に位置している。
【００３１】
次に、ＬＡＮコネクタ５０に図１（Ｂ）に示すＬＡＮケーブルコネクタ２０を挿入して接続するときの動作を説明する。
【００３２】
ＬＡＮケーブルコネクタ２０は、図１（Ｂ）に示すように、直方体形状の本体２２の上面の中央に凸部２１及び操作アーム部２３を有し、本体２２の上面のうち左右側に上面部２４，２５を有する形状を有する。
【００３３】
図５（Ａ）、（Ｂ）、（Ｃ）は、ＬＡＮケーブルコネクタ２０のうち凸部２１の個所について見た場合の、挿入前、挿入途中、接続完了時の状態を示す。図５（Ｄ）、（Ｅ）、（Ｆ）は、ＬＡＮケーブルコネクタ２０のうち上面部２４（２５）の個所について見た場合の、挿入前、挿入途中、接続完了時の状態を示す。
【００３４】
ＬＡＮケーブルコネクタ２０がＬＡＮコネクタ５０に挿入されると、図５（Ｅ）に示すように、本体２２が腕部６６，６７に当たってこれをＺ１方向押し上げ、腕部６６，６７は弾性的に撓まされ、本体２２の上面部２４，２５に乗り上がる。ストッパ部６８，６９はＺ１方向に変位されて、本体２２の上面部２４，２５よりも上方に到り、挿入されるＬＡＮケーブルコネクタ２０が通る空間５７の外に退避される。よって、ＬＡＮケーブルコネクタ２０は、図５（Ｆ）に示すように、ストッパ部６８，６９の下側を通って最終の位置まで挿入され、端子２６がＰＩＮ＃１，２，３，６に接触され、また、図５（Ｃ）に示すように、凸部２１がラッチ用切欠５４にラッチされる。
【００３５】
ここで、上記の腕部６６，６７は、ハウジング５２の奥部から開口５３の方向に向いているのではなく、天板部５５の下面からハウジング５２の内部に突き出してハウジング５２の奥部に向いているため、挿入されたＬＡＮケーブルコネクタ２０本体２２が腕部６６，６７の先端に当たって引っ掛かることは起きない。よって、モデムケーブルコネクタ挿入防止機構５１は高い信頼性を有する。
【００３６】
次に、ＬＡＮコネクタ５０に誤って図１（Ｃ）に示すモデムケーブルコネクタ３０を挿入して接続しようとしたときの動作を説明する。
【００３７】
モデムケーブルコネクタ３０は、そのサイズからして、図６（Ａ）及び図６（Ｂ）に示すようにＬＡＮコネクタ５０のハウジング５２内に入ってしまう。ここで、操作者が接続操作のときにモデムケーブルコネクタ３０をＬＡＮコネクタ５０の中央に位置を決めるのが通常であり、モデムケーブルコネクタ３０は、図４（Ｃ）に示すように、腕部６６，６７との間の空間５８に挿入される。即ち、モデムケーブルコネクタ３０は腕部６６，６７を撓まさないで挿入される。
【００３８】
腕部６６，６７との間には、ストッパ部６８，６９が位置している。このため、図６（Ｂ）に示すように、モデムケーブルコネクタ３０が途中まで挿入された段階で、モデムケーブルコネクタ３０の先端がストッパ部６８，６９に当たり、端子３６がＰＩＮ１に接触する位置に到る手前の位置で、モデムケーブルコネクタ３０はそれ以上の挿入が制限される。なお、モデムケーブルコネクタ３０は先端の両側部を係止されるため、片側だけが係止される場合に比べて、モデムケーブルコネクタ３０の挿入制限はしっかりとなされる。
【００３９】
このときに、操作者は誤りに気が付いて、モデムケーブルコネクタ３０を
隣のモデムコネクタ７０に接続し直すことになる。
【００４０】
これによって、モデムケーブルコネクタ３０を誤ってＬＡＮコネクタ５０に接続することが防止される。
【００４１】
なお、上記の板ばね部材６０は、腕部６６，６７のうち一つの腕部を有し、ストッパ部を片側に有する形状でもよい。
【００４２】
図７（Ａ），（Ｂ）は本発明の第２実施例になるＬＡＮコネクタ５０Ａを示す。
【００４３】
ＬＡＮコネクタ５０Ａは、図４に示すＬＡＮコネクタ５０中の板ばね部材６０に代えて、スイッチ機構９０をハウジング５２Ａ内に組み込んだ構成である。スイッチ機構９０は、電気的には、ハウジング５２Ａ内のＰＩＮ端子の途中、即ち、ハウジング５２Ａ内の端子部とハウジング５２Ａの外の端子部との間の位置に設けてあり、常開である。スイッチ機構９０の押し釦９１が天板部５５Ａの下面から突き出している。押し釦９１は、ＬＡＮケーブルコネクタ２０が通る空間５７内であって、モデムケーブルコネクタ３０が通る空間５８の外側に配置してある。また、押し釦９１は、Ｙ２側に傾斜面９２を有する。
【００４４】
ＬＡＮケーブルコネクタ２０がＬＡＮコネクタ５０Ａに挿入されると、ＬＡＮケーブルコネクタ２０は傾斜面９２を押して押し釦９１を上方へ変位させてハウジング５２Ａ内に最終位置まで挿入されてラッチされる。スイッチ機構９０は閉とされ、ＬＡＮケーブルコネクタ２０はＬＡＮコネクタ５０Ａを介して図３中のＬＡＮモジュール８５と電気的に接続される。
【００４５】
誤ってモデムケーブルコネクタ３０をＬＡＮコネクタ５０Ａに接続する操作を行った場合には、モデムケーブルコネクタ３０はハウジング５２Ａ内に最終位置まで挿入されてラッチされてしまう。
【００４６】
しかし、押し釦９１は押し込まれていず、スイッチ機構９０は開のままである。よって、モデムケーブルコネクタ３０とＬＡＮモジュール８５とは電気的に接続されていない状態にあり、不都合は発生しない。
【００４７】
図８（Ａ），（Ｂ）は本発明の第３実施例になるＬＡＮコネクタ５０Ｂを示す。
【００４８】
ＬＡＮコネクタ５０Ｂは、図４に示す板ばね部材６０と図７に示すスイッチ機構９０との両方を有する構成である。
【００４９】
ＬＡＮケーブルコネクタ２０は、腕部６６，６７を撓ませ、ストッパ部６８，６９をＬＡＮケーブルコネクタ２０が通る空間の外に退避させてハウジング５２Ｂ内に最終位置まで挿入されてラッチされる。押し釦９１はストッパ部６８によって押されて上方へ変位され、スイッチ機構９０は閉とされる。よって、ＬＡＮケーブルコネクタ２０はＬＡＮコネクタ５０Ｂを介して図３中のＬＡＮモジュール８５と電気的に接続される。誤ってＬＡＮコネクタ５０Ｂに接続する操作を行った場合には、モデムケーブルコネクタ３０はストッパ部６８，６９に当たってそれ以上の挿入は制限される。
【００５０】
このＬＡＮコネクタ５０Ｂは、スイッチ機構９０が故障した場合でも不都合が起きず、図７に示すＬＡＮコネクタ５０Ａに比べて高い信頼性を有する。
【００５１】
図９（Ａ），（Ｂ）は本発明の第４実施例になる携帯型のパソコン４０Ａを示す。本体部４１Ａの側面壁１００の一つの開口１０１に、型番がＲＪ−４５であるＬＡＮコネクタ１０と型番がＲＪ−１１であるモデムコネクタ７０が並んで設けてある。
【００５２】
ＬＡＮコネクタ１０は、図４に示すＬＡＮコネクタ５０から板ばね部材６０を取り除かれた図１に示す従来の構造である。
【００５３】
１０５は蓋であり、側面壁１００の開口１０１の縁の溝１０２に嵌合させて、Ｙ１，Ｙ２方向に摺動可能に設けてある。
【００５４】
モデムケーブルコネクタ３０を接続するときには、蓋１０５をＹ１方向へスライドさせておく。蓋１０５はＬＡＮコネクタ１０を覆っている。
【００５５】
よって、モデムケーブルコネクタ３０を誤ってＬＡＮコネクタ１０に接続する誤接続は防止される。
【００５６】
図１０（Ａ），（Ｂ）は本発明の第５実施例になる携帯型のパソコン４０Ｂを示す。蓋１１０は、モデムコネクタ７０の開口７１に対応した形状の開口窓１１１を有する。
【００５７】
モデムケーブルコネクタ３０を接続するときには、蓋１１０をＹ１方向へいっぱいにスライドさせておく。開口窓１１１は、ＬＡＮコネクタ１０の開口の中心からずれており、開口窓１１１にはＬＡＮコネクタ１０の前面壁の一部が突き出している。よって、モデムケーブルコネクタ３０が開口窓１１１に入っても、ＬＡＮコネクタ１０のハウジングの前面壁に当たってそれ以上は挿入されない。これによって、モデムケーブルコネクタ３０を誤ってＬＡＮコネクタ１０に接続する誤接続は防止される。
【００５８】
また、ＬＡＮケーブルコネクタ２０を接続するときには、蓋１１０をＹ２方向へスライドさせておく。これによって、ＬＡＮケーブルコネクタ２０はＬＡＮコネクタ１０に接続される。開口窓１１１はモデムコネクタ７０の開口７１と一致しているので、モデムケーブルコネクタ３０は開口窓１１１を通ってモデムコネクタ７０に接続される。
【００５９】
【発明の効果】
以上説明したように、請求項１の発明は、ＬＡＮケーブルコネクタが挿入される大きさのハウジングの内部のうち、モデムケーブルコネクタが挿入された場合にモデムケーブルコネクタが占めるモデムケーブルコネクタ占有空間の外側に、撓み可能部分を設けると共に、モデムケーブルコネクタ占有空間内に、ストッパ部を上記撓み可能部分と共に変位するように設けてなり、上記撓み可能部分は、上記モデムケーブルコネクタが挿入された場合には押されないで撓まず、上記ＬＡＮケーブルコネクタが挿入された場合に押されて撓まされて上記ストッパ部をモデムケーブルコネクタ占有空間の外に退避させ、上記ストッパ部は、前記モデムケーブルコネクタ占有空間内に突き出ており、前記ハウジングの天板部と平行である平板片であり、上記モデムケーブルコネクタが挿入された場合にこれを受け止める構成としたものであるため、ストッパ部が存在することによって、モデムケーブルコネクタがＬＡＮコネクタに接続されてしまうことを防止することが出来、また、撓み可能部分が存在することによって、ＬＡＮケーブルコネクタがＬＡＮコネクタに円滑に接続され接続されるように出来る。
【００６０】
請求項２の発明は、請求項１記載のＬＡＮコネクタにおいて、撓み可能部分及びストッパ部が一つの板ばね部材の異なる部位に形成してある構成であるため、複数の部品を構成を簡単に出来る。また、撓み可能部分がハウジングの天板部のうち入り口側の近くに固定されてハウジングの内部に突き出て奥方に延びている板ばねの腕部よりなる構成であるため、ＬＡＮケーブルコネクタが挿入された場合に腕部を撓み易くし、且つ、挿入されたＬＡＮケーブルコネクタが腕部に引っかからないように出来る。また、ストッパ部を構成する平板片は、腕部の先端に折り曲げずに形成してある構成であるため、ストッパ部を腕部に対して直角に曲げて形成した構成に比べて、強い強度を有し、且つ、モデムケーブルコネクタ占有空間の外への退避をし易く出来る。
【００６２】
請求項４の発明は、スイッチと撓み可能部分及びストッパ部とを併せて有するため、スイッチが故障した場合でも、不都合が起きないように出来る。
【００６３】
請求項５の発明は、内部に情報処理部を有する本体部を有する情報処理装置において、該本体部に、請求項１乃至４のうちいずれか一項記載のＬＡＮコネクタを備えた構成としたものであるため、モデムケーブルコネクタを誤ってＬＡＮコネクタに接続してしまう誤操作が防止され、情報処理装置の信頼性を上げること出来、また、ＬＡＮコネクタとモデムコネクタとを離れた場所ではなく、並べて配置することも可能となる。
【図面の簡単な説明】
【図１】  従来のＬＡＮコネクタをＬＡＮケーブルコネクタ及びモデムケーブルコネクタと併せて示す図である。
【図２】  本発明の第１実施例になるＬＡＮコネクタが組み込んである携帯型のパソコンを示す図である。
【図３】  図２の携帯型のパソコンのブロック図である。
【図４】  図２中の本発明の第１実施例になるＬＡＮコネクタを示す図である。
【図５】  ＬＡＮケーブルコネクタのＬＡＮコネクタへの接続動作を示す図である。
【図６】  モデムケーブルコネクタのＬＡＮコネクタへの接続制限を説明する図である。
【図７】  本発明の第２実施例になるＬＡＮコネクタを示す図である。
【図８】  本発明の第３実施例になるＬＡＮコネクタを示す図である。
【図９】  本発明の第４実施例になる携帯型のパソコンを示す図である。
【図１０】  本発明の第５実施例になる携帯型のパソコンを示す図である。
【符号の説明】
２０  ＬＡＮケーブルコネクタ
３０  モデムケーブルコネクタ
４０  携帯型パソコン
５０、５０Ａ、５０Ｂ、１０  ＬＡＮコネクタ
５１  モデムケーブルコネクタ挿入防止機構
５２  ハウジング
５７  ＬＡＮケーブルコネクタが通る空間
５８  モデムケーブルコネクタが通る空間
６０  板ばね部材
６６，６７  腕部
６８，６９  ストッパ部
７０  モデムコネクタ
９０  スイッチ機構
９１  押し釦
９２  傾斜面
１０５，１１０  蓋
１１１  開口窓
【図１】
0004308456.tif 000002
【図２】
0004308456.tif 000003
【図３】
0004308456.tif 000004
【図４】
0004308456.tif 000005
【図５】
0004308456.tif 000006
【図６】
0004308456.tif 000007
【図７】
0004308456.tif 000008
【図８】
0004308456.tif 000009
【図９】
0004308456.tif 000010
【図１０】
0004308456.tif 000011